(57)【要約】【課題】ステアリング機構の操舵力を電動モータでアシストするアシスト制御を行うシステムにおいて、路面状態に応じた適正なアシスト制御を行うことができるようにする。【解決手段】車両が走行する路面状態（例えば、舗装路、雪道、草原、岩場等）に応じて運転者が路面モード選択スイッチ１７を操作することで、車両が走行する路面状態に対応した路面モード（例えば、舗装路モード、雪道モード、草原モード、岩場モード等）を選択する。そして、路面モード選択スイッチ１７で選択された路面モードに応じてアシスト制御の制御特性（例えば、車速と操舵トルクとアシストトルクとの関係）を変更することで、車両が走行する路面状態に応じた適正なアシスト制御を行う。その際、路面モード選択スイッチ１７で路面モードが切り替えられた場合に、ステアリング機構の操舵角が中立位置でないときには、アシスト制御の制御特性の変更を禁止する。【選択図】図１
2011136588.tif 000002
【特許請求の範囲】
【請求項１】
車両に搭載されたステアリング機構の操舵力を電動モータでアシストするアシスト制御を行う電動パワーステアリング制御装置において、
運転者の操作によって路面モードを選択する路面モード選択手段と、
前記路面モード選択手段で選択された路面モードに応じて前記アシスト制御の制御特性を変更するアシスト制御特性変更手段と
を備えていることを特徴とする電動パワーステアリング制御装置。
【請求項２】
前記アシスト制御特性変更手段は、前記路面モード選択手段で路面モードが切り替えられた場合に、前記ステアリング機構の操舵角が中立位置でないときには前記アシスト制御の制御特性の変更を禁止し、前記ステアリング機構の操舵角が中立位置のときに前記アシスト制御の制御特性の変更を許可する手段を有することを特徴とする請求項１に記載の電動パワーステアリング制御装置。
【請求項３】
前記アシスト制御特性変更手段は、前記ステアリング機構の操舵角が中立位置の状態が所定時間以上継続したときに前記アシスト制御の制御特性の変更を許可する手段を有することを特徴とする請求項２に記載の電動パワーステアリング制御装置。
【発明の詳細な説明】
【技術分野】
【０００１】
本発明は、車両に搭載されたステアリング機構の操舵力を電動モータでアシストする電動パワーステアリング制御装置に関する発明である。
【背景技術】
【０００２】
近年、自動車等の車両においては、燃費節減等を目的として、電動パワーステアリングを搭載したものが増加しつつある。この電動パワーステアリングは、例えば、運転者によるステアリング機構の操舵トルクを検出する操舵トルクセンサやステアリング機構の操舵力をアシストする電動モータ等を備え、車速センサで検出した車速、操舵トルクセンサで検出した操舵トルク等に基づいてアシストトルクを演算し、このアシストトルクを実現するように電動モータを制御するようにしたものがある。
【０００３】
また、電動パワーステアリングを搭載した車両においては、例えば、特許文献１（特開２００８−８７５２９号公報）に記載されているように、車両が受ける線形路面反力トルクと推定路面反力トルクとの比較に基づいて車両のアンダーステア度を演算し、このアンダーステア度が所定の閾値以上になったときに、電動パワーステアリングのアシストトルクを抑制するハンドル切り戻し促進処理等を行ってアンダーステアを抑制するようにしたものがある。
【先行技術文献】
【特許文献】
【０００４】
【特許文献１】特開２００８−８７５２９号公報（第２頁等）
【発明の概要】
【発明が解決しようとする課題】
【０００５】
ところで、実際に車両が走行する路面には、舗装路、雪道、草原、岩場等の種々の路面状態が存在するが、従来の電動パワーステアリングは、ステアリング機構の操舵力を電動モータでアシストするアシスト制御を行う際に、その制御特性（例えば、車速と操舵トルクとアシストトルクとの関係）が路面状態に拘らず一定であるため、路面状態に応じた適正なアシスト制御を行うことができず、車両の操作性や安全性を十分に向上させることができないという問題がある。
【０００６】
また、上記特許文献１の技術は、アンダーステア度が所定の閾値以上になったときにアシストトルクを抑制するハンドル切り戻し促進処理等を行うことでアンダーステアを抑制するものであり、路面状態に応じた適正なアシスト制御を行うことができないという事情は変わらない。
【０００７】
そこで、本発明が解決しようとする課題は、路面状態に応じた適正なアシスト制御を行うことができ、車両の操作性や安全性を向上させることができる電動パワーステアリング制御装置を提供することにある。
【課題を解決するための手段】
【０００８】
上記課題を解決するために、請求項１に係る発明は、車両に搭載されたステアリング機構の操舵力を電動モータでアシストするアシスト制御を行う電動パワーステアリング制御装置において、運転者の操作によって路面モードを選択する路面モード選択手段と、この路面モード選択手段で選択された路面モードに応じてアシスト制御の制御特性を変更するアシスト制御特性変更手段とを備えた構成としたものである。
【０００９】
この構成では、車両が走行する路面状態（例えば、舗装路、雪道、草原、岩場等）に応じて運転者が路面モード選択手段を操作することで、車両が走行する路面状態に対応した路面モード（例えば、舗装路モード、雪道モード、草原モード、岩場モード等）を選択することができる。そして、路面モード選択手段で選択された路面モードに応じてアシスト制御の制御特性（例えば、車速と操舵トルクとアシストトルクとの関係）を変更することで、車両が走行する路面状態に応じた適正なアシスト制御を行うことができ、車両の操作性や安全性を向上させることができる。
【００１０】
ところで、路面モード選択手段で路面モードが切り替えられた場合でも、ステアリング機構の操舵角が中立位置でないとき（つまりステアリングホイールの操作中）に、アシスト制御の制御特性を変更すると、ステアリングホイールの操作中にアシストトルクが変化して、運転者に違和感を与えたり、安全性を損なう可能性がある。
【００１１】
この対策として、請求項２のように、路面モード選択手段で路面モードが切り替えられた場合に、ステアリング機構の操舵角が中立位置でないときにはアシスト制御の制御特性の変更を禁止し、ステアリング機構の操舵角が中立位置のときにアシスト制御の制御特性の変更を許可するようにすると良い。このようにすれば、ステアリング機構の操舵角が中立位置でないとき（つまりステアリングホイールの操作中）に、アシスト制御の制御特性を変更することを未然に防止することができ、運転者に違和感を与えないようにできる共に、安全性を確保することができる。
【００１２】
この場合、請求項３のように、ステアリング機構の操舵角が中立位置の状態が所定時間以上継続したときにアシスト制御の制御特性の変更を許可するようにしても良い。このようにすれば、ステアリング機構の操舵角を右方向から左方向又は左方向から右方向に切り返す途中で操舵角が中立位置を単に通過しただけのときに、アシスト制御の制御特性を変更してしまうことを防止することができ、安全性を確実に確保することができる。
【図面の簡単な説明】
【００１３】
【図１】図１は本発明の一実施例における電動パワーステアリング制御システムの概略構成を示す図である。
【図２】図２はアシスト制御ルーチンの処理の流れを説明するフローチャートである。
【図３】図３はアシスト制御特性変更ルーチンの処理の流れを説明するフローチャートである。
【図４】図４は変更許可判定ルーチンの処理の流れを説明するフローチャートである。
【発明を実施するための形態】
【００１４】
以下、本発明を実施するための形態を具体化した一実施例を説明する。
まず、図１に基づいて電動パワーステアリング制御システムの概略構成を説明する。
車両に搭載された電動パワーステアリングには、運転者によるステアリング機構（図示せず）の操舵トルクを検出する操舵トルクセンサ１１と、ステアリング機構の操舵角を検出する操舵角センサ１２と、ステアリング機構の操舵力をアシストする電動モータ１３と、この電動モータ１３の角速度を検出するモータ角速度センサ１４と、電動モータ１３に流れる電流を検出するモータ電流センサ１５等が設けられている。また、車両には、車速を検出する車速センサ１６と、運転者の操作によって路面モードを選択する路面モード選択スイッチ１７（路面モード選択手段）等が設けられている。この路面モード選択スイッチ１７によって、例えば、舗装路モード、雪道モード、草原モード、岩場モード等の中から１つの路面モードを選択できるようになっている。
【００１５】
これら各種のセンサやスイッチの出力は、電動パワステＥＣＵ１８に入力される。この電動パワステＥＣＵ１８は、マイクロコンピュータを主体として構成され、内蔵されたＲＯＭ（記憶媒体）に記憶された各種の電動パワステ制御用のルーチンを実行することで、電動パワーステアリングを制御する。尚、電動パワーステＥＣＵ１８は、他の制御回路（例えばエンジンＥＣＵ等）に組み込まれた構成としても良い。
【００１６】
電動パワーステＥＣＵ１８は、後述する図２のアシスト制御ルーチンを実行することで、ステアリング機構の操舵力を電動モータ１３でアシストするアシスト制御を次のようにして行う。
【００１７】
まず、モータ角加速度演算部１９で、モータ角速度センサ１４の出力信号（電動モータ１３の角速度）に基づいて電動モータ１３の角加速度を演算し、アシストトルク演算部２０で、車速センサ１６の出力信号（車速）、操舵トルクセンサ１１の出力信号（操舵トルク）、モータ角速度センサ１４の出力信号（電動モータ１３の角速度）、モータ角加速度演算部１９の出力信号（電動モータ１３の角加速度）等に基づいてアシストトルクをマップ又は数式等により演算する。尚、アシストトルクを演算する方法は、これに限定されず、適宜変更しても良い。
【００１８】
この後、モータ電流演算部２１で、アシストトルクに応じた目標モータ電流をマップ又は数式等により演算し、モータ電流比較部２２で、目標モータ電流と実モータ電流（モータ電流センサ１５の出力信号）との偏差を演算した後、モータ駆動部２３で、目標モータ電流と実モータ電流との偏差を小さくするように電動モータ１３に流れる電流をフィードバック制御することで、アシストトルクを実現するように電動モータ１３を制御する。尚、アシストトルクを実現するように電動モータ１３を制御する方法は、これに限定されず、適宜変更しても良い。
【００１９】
ところで、実際に車両が走行する路面には、舗装路、雪道、草原、岩場等の種々の路面状態が存在するが、ステアリング機構の操舵力を電動モータ１３でアシストするアシスト制御を行う際に、その制御特性（例えば、車速と操舵トルクとアシストトルクとの関係）を路面状態に拘らず一定にすると、路面状態に応じた適正なアシスト制御を行うことができず、車両の操作性や安全性を十分に向上させることができない。
【００２０】
そこで、本実施例では、電動パワーステＥＣＵ１８により後述する図３及び図４のアシスト制御特性変更用の各ルーチンを実行することで、路面モード選択スイッチ１７で選択された路面モード（例えば、舗装路モード、雪道モード、草原モード、岩場モード等）に応じてアシスト制御の制御特性（例えば、車速と操舵トルクとアシストトルクとの関係等）を変更する。
【００２１】
具体的には、（１）路面モード選択スイッチ１７で選択された路面モードが舗装路モードの場合には、アシスト制御の制御特性を舗装路用の制御特性（舗装路に適した制御特性）に設定する。
（２）路面モード選択スイッチ１７で選択された路面モードが雪道モードの場合には、アシスト制御の制御特性を雪道用の制御特性（雪道に適した制御特性）に設定する。
（３）路面モード選択スイッチ１７で選択された路面モードが草原モードの場合には、アシスト制御の制御特性を草原用の制御特性（草原に適した制御特性）に設定する。
（４）路面モード選択スイッチ１７で選択された路面モードが岩場モードの場合には、アシスト制御の制御特性を岩場用の制御特性（岩場に適した制御特性）に設定する。
【００２２】
以下、電動パワーステＥＣＵ１８が実行する図２乃至図４の各ルーチンの処理内容を説明する。
【００２３】
［アシスト制御ルーチン］
図２に示すアシスト制御ルーチンは、電動パワーステＥＣＵ１８の電源オン中に所定周期で繰り返し実行される。本ルーチンが起動されると、まず、ステップ１０１で、各種のセンサ（操舵トルクセンサ１１、モータ角速度センサ１４、モータ電流センサ１５、車速センサ１６等）の出力信号を読み込む。
【００２４】
この後、ステップ１０２に進み、車速センサ１６で検出した車速、操舵トルクセンサ１１で検出した操舵トルク、モータ角速度センサ１４で検出した電動モータ１３の角速度、該角速度から求めた電動モータ１３の角加速度等に基づいてアシストトルクを演算する。この際、後述する図３のルーチンで路面モードに応じて設定されたアシスト制御の制御特性（例えば、車速と操舵トルクとアシストトルクとの関係を規定したマップ又は数式等）を用いてアシストトルクを演算する。
【００２５】
この後、ステップ１０３に進み、アシストトルクに応じた目標モータ電流をマップ又は数式等により演算した後、ステップ１０４に進み、目標モータ電流と実モータ電流（モータ電流センサ１５の出力信号）との偏差を小さくするように電動モータ１３に流れる電流をフィードバック制御する。これにより、ステアリング機構の操舵力を電動モータ１３でアシストするアシスト制御を行う。
【００２６】
［アシスト制御特性変更ルーチン］
図３に示すアシスト制御特性変更ルーチンは、電動パワーステＥＣＵ１８の電源オン中に所定周期で繰り返し実行され、特許請求の範囲でいうアシスト制御特性変更手段としての役割を果たす。本ルーチンが起動されると、まず、ステップ２０１で、路面モード選択スイッチ１７の出力信号（路面モード選択スイッチ１７で選択された路面モード）を読み込んだ後、ステップ２０２に進み、後述する図４の変更許可判定ルーチンを実行して、変更許可フラグを変更許可を意味する「１」にセットするか又は「０」にリセットする。
【００２７】
この後、ステップ２０３に進み、変更許可フラグが「１」にセットされているか否かを判定する。このステップ２０３で、変更許可フラグが「０」であると判定された場合には、アシスト制御の制御特性の変更が禁止されていると判断して、ステップ２０４以降の処理を行うことなく、本ルーチンを終了する。
【００２８】
一方、上記ステップ２０３で、変更許可フラグが「１」であると判定された場合には、アシスト制御の制御特性の変更が許可されていると判断して、ステップ２０４以降の処理を次のようにして行う。
【００２９】
まず、ステップ２０４で、路面モード選択スイッチ１７で選択された路面モードが舗装路モードであるか否かを判定する。
このステップ２０４で、路面モードが舗装路モードであると判定されれば、ステップ２０８に進み、アシスト制御の制御特性（例えば、車速と操舵トルクとアシストトルクとの関係を規定したマップ又は数式等）を舗装路用の制御特性に設定する。この舗装路用の制御特性は、例えば、車速と操舵トルクとアシストトルクとの関係が舗装路に適した特性になるように設定されている。
【００３０】
一方、上記ステップ２０４で、路面モード選択スイッチ１７で選択された路面モードが舗装路モードではないと判定された場合には、ステップ２０５に進み、路面モード選択スイッチ１７で選択された路面モードが雪道モードであるか否かを判定する。
【００３１】
このステップ２０５で、路面モードが雪道モードであると判定されれば、ステップ２０９に進み、アシスト制御の制御特性（例えば、車速と操舵トルクとアシストトルクとの関係を規定したマップ又は数式等）を雪道用の制御特性に設定する。この雪道用の制御特性は、例えば、車速と操舵トルクとアシストトルクとの関係が雪道に適した特性（例えば、舗装路の制御特性よりも相対的にアシストトルクが小さくなる特性）になるように設定されている。
【００３２】
一方、上記ステップ２０５で、路面モード選択スイッチ１７で選択された路面モードが雪道モードではないと判定された場合には、ステップ２０６に進み、路面モード選択スイッチ１７で選択された路面モードが草原モードであるか否かを判定する。
【００３３】
このステップ２０６で、路面モードが草原モードであると判定されれば、ステップ２１０に進み、アシスト制御の制御特性（例えば、車速と操舵トルクとアシストトルクとの関係を規定したマップ又は数式等）を草原用の制御特性に設定する。この草原用の制御特性は、例えば、車速と操舵トルクとアシストトルクとの関係が草原に適した特性（例えば、舗装路の制御特性よりも相対的にアシストトルクが小さく且つ雪道の制御特性よりも相対的にアシストトルクが大きくなる特性）になるように設定されている。
【００３４】
一方、上記ステップ２０６で、路面モード選択スイッチ１７で選択された路面モードが草原モードではないと判定された場合には、ステップ２０７に進み、路面モード選択スイッチ１７で選択された路面モードが岩場モードであるか否かを判定する。
【００３５】
このステップ２０７で、路面モードが岩場モードであると判定されれば、ステップ２１１に進み、アシスト制御の制御特性（例えば、車速と操舵トルクとアシストトルクとの関係を規定したマップ又は数式等）を岩場用の制御特性に設定する。この岩場用の制御特性は、例えば、車速と操舵トルクとアシストトルクとの関係が岩場に適した特性（例えば、舗装路の制御特性よりも相対的にアシストトルクが大きくなる特性）になるように設定されている。
【００３６】
尚、アシスト制御の各制御特性（舗装路用の制御特性、雪道用の制御特性、草原用の制御特性、岩場用の制御特性）は、予め試験データや設計データ等に基づいて作成され、電動パワーステＥＣＵ１８のメモリに記憶されている。
【００３７】
［変更許可判定ルーチン］
図４に示す変更許可判定ルーチンは、前記図２のアシスト制御特性変更ルーチンのステップ２０２で実行されるサブルーチンである。本ルーチンが起動されると、まず、ステップ３０１で、アシスト制御の制御特性が路面モードに対応した制御特性に設定されているか否かを判定する。
【００３８】
このステップ３０１で、アシスト制御の制御特性が路面モードに対応した制御特性に設定されていないと判定された場合には、路面モード選択スイッチ１７で路面モードが切り替えられたが、まだアシスト制御の制御特性が路面モードに対応した制御特性に変更されていないと判断して、ステップ３０２に進み、操舵角センサ１２で検出したステアリング機構の操舵角（例えばステアリングホイールの操舵角）を読み込む。
【００３９】
この後、ステップ３０３に進み、ステアリング機構の操舵角が中立位置（ニュートラル位置）であるか否かを判定する。ここで、中立位置は、例えば、操舵角が０°（直進状態）となる位置、又は操舵角がほぼ０となる位置（操舵角が０°を含む０°近傍の所定範囲内となる位置）である。
【００４０】
このステップ３０３で、ステアリング機構の操舵角が中立位置ではないと判定された場合には、ステアリングホイールの操作中であると判断して、ステップ３０５に進み、変更許可フラグを「０」にセットして、アシスト制御の制御特性の変更を禁止する。
【００４１】
一方、上記ステップ３０３で、ステアリング機構の操舵角が中立位置であると判定された場合には、ステップ３０４に進み、ステアリング機構の操舵角が中立位置の状態が所定時間以上継続したか否かを判定する。
【００４２】
このステップ３０４で、ステアリング機構の操舵角が中立位置の状態が所定時間以上継続していないと判定された場合には、ステアリングホイールの操作中（ステアリング機構の操舵角を右方向から左方向又は左方向から右方向に切り返す途中で操舵角が中立位置を単に通過しただけ）であると判断して、ステップ３０５に進み、変更許可フラグを「０」にセットして、アシスト制御の制御特性の変更を禁止する。
【００４３】
一方、上記ステップ３０４で、ステアリング機構の操舵角が中立位置の状態が所定時間以上継続したと判定された場合には、ステアリング機構の操舵角が中立位置に維持されていると判断して、ステップ３０６に進み、変更許可フラグを「１」にセットして、アシスト制御の制御特性の変更を許可する。
【００４４】
その後、上記ステップ３０１で、アシスト制御の制御特性が路面モードに対応した制御特性に設定されていると判定された場合には、アシスト制御の制御特性を変更する必要がないと判断して、ステップ３０５に進み、変更許可フラグを「０」にセットする。
【００４５】
以上説明した本実施例では、車両が走行する路面状態（例えば、舗装路、雪道、草原、岩場等）に応じて運転者が路面モード選択スイッチ１７を操作することで、車両が走行する路面状態に対応した路面モード（例えば、舗装路モード、雪道モード、草原モード、岩場モード等）を選択することができる。そして、路面モード選択スイッチ１７で選択された路面モードに応じてアシスト制御の制御特性（例えば、車速と操舵トルクとアシストトルクとの関係）を変更するようにしたので、車両が走行する路面状態に応じた適正なアシスト制御を行うことができ、車両の操作性や安全性を向上させることができる。
【００４６】
ところで、路面モード選択スイッチ１７で路面モードが切り替えられた場合でも、ステアリング機構の操舵角が中立位置でないとき（つまりステアリングホイールの操作中）に、アシスト制御の制御特性を変更すると、ステアリングホイールの操作中にアシストトルクが変化して、運転者に違和感を与えたり、安全性を損なう可能性がある。
【００４７】
この対策として、本実施例では、ステアリング機構の操舵角が中立位置でないときにはアシスト制御の制御特性の変更を禁止し、ステアリング機構の操舵角が中立位置のときにアシスト制御の制御特性の変更を許可するようにしたので、ステアリング機構の操舵角が中立位置でないとき（つまりステアリングホイールの操作中）に、アシスト制御の制御特性を変更することを未然に防止することができ、運転者に違和感を与えないようにできる共に、安全性を確保することができる。
【００４８】
更に、本実施例では、ステアリング機構の操舵角が中立位置の状態が所定時間以上継続したときにアシスト制御の制御特性の変更を許可するようにしたので、ステアリング機構の操舵角を右方向から左方向又は左方向から右方向に切り返す途中で操舵角が中立位置を単に通過しただけのときに、アシスト制御の制御特性を変更してしまうことを防止することができ、安全性を確実に確保することができる。
【００４９】
尚、上記実施例では、路面モード選択スイッチ１７で選択可能な路面モードとして、舗装路モード、雪道モード、草原モード、岩場モードを例示したが、これに限定されず、選択可能な路面モードとして、例えば、ウエット路モード、凍結路モード、砂地モード、砂利地モード等の他の路面モードを追加しても良い等、選択可能な路面モードの種類や数を適宜変更しても良い。
【００５０】
また、上記実施例では、路面モード選択スイッチ１７で選択された路面モードに応じてアシスト制御の制御特性を変更する際に、アシスト制御の制御特性として、例えば、車速と操舵トルクとアシストトルクとの関係を変更するようにしたが、これに限定されず、アシスト制御の制御特性を変更する方法は、適宜変更しても良い。
【００５１】
また、上記実施例では、車速に基づいてアシストトルクを演算する（車速に応じてアシストトルクを変化させる）車速感応型の電動パワーステアリングに本発明を適用したが、これに限定されず、エンジン回転速度に基づいてアシストトルクを演算する（エンジン回転速度に応じてアシストトルクを変化させる）回転速度感応型の電動パワーステアリングに本発明を適用しても良く、この場合、路面モード選択スイッチ１７で選択された路面モードに応じてアシスト制御の制御特性を変更する際に、アシスト制御の制御特性として、例えば、エンジン回転速度と操舵トルクとアシストトルクとの関係を変更するようにすると良い。
【００５２】
また、上記実施例では、路面モード選択スイッチ１７で路面モードが切り替えられた場合に、ステアリング機構の操舵角が中立位置でないときには、アシスト制御の制御特性の変更を禁止するようにしたが、これに限定されず、ステアリング機構の操舵角が中立位置でないときには、アシスト制御の制御特性を、切り替え前の路面モードに対応した制御特性から切り替え後の路面モードに対応した制御特性に徐々に変更して、アシストトルクの急変を防止するようにしても良い。
【００５３】
また、上記実施例では、操舵角センサ１２で検出した操舵角に基づいて中立位置を判定するようにしたが、これに限定されず、例えば、中立位置を検出するセンサを設け、そのセンサの出力信号に基づいて中立位置を判定するようにしても良い。或は、モータ角速度センサ１４の出力信号等に基づいて操舵角を推定し、その推定値に基づいて中立位置を判定するようにしても良い。
【００５４】
また、本発明は、エンジン（内燃機関）のみを動力源とする車両に適用しても良いし、或は、モータのみを動力源とする電気自動車やエンジンとモータの両方を動力源とするハイブリッド車に適用しても良い。
【符号の説明】
【００５５】
１１…操舵トルクセンサ、１２…操舵角センサ、１３…電動モータ、１４…モータ角速度センサ、１５…モータ電流センサ、１６…車速センサ、１７…路面モード選択スイッチ（路面モード選択手段）、１８…電動パワステＥＣＵ（アシスト制御特性変更手段）
【図１】
2011136588.tif 000003
【図２】
2011136588.tif 000004
【図３】
2011136588.tif 000005
【図４】
2011136588.tif 000006